(57)【要約】【課題】より簡便な構成でランプの故障を検知することができる表示ランプ装置、及び表示ランプの点灯方法を提供すること。【解決手段】本発明にかかる表示ランプ装置１００は、表示装置３（表示ランプ）と、表示装置３を点灯させるための複数の光源Ｌ（ランプ）と、を備え、複数の光源Ｌはそれぞれが異なるタイミングで点滅を行い、それぞれの点滅が連続するように複数の光源Ｌが交互に点灯することによって、表示装置３が点灯状態となるものである。【選択図】図２
2011096447.tif 000002
【特許請求の範囲】
【請求項１】
表示ランプと、
前記表示ランプを点灯させるための複数の光源と、を備え、
前記複数の光源はそれぞれが異なるタイミングで点滅を行い、
それぞれの点滅が連続するように前記複数の光源が交互に点灯することによって、前記表示ランプが点灯状態となる表示ランプ装置。
【請求項２】
前記複数の光源は、前記複数の光源のそれぞれが単独で点灯する所定時間を有する請求項１に記載の表示ランプ装置。
【請求項３】
前記複数の光源のそれぞれの点灯を制御する制御部をさらに備える請求項１又は２に記載の表示ランプ装置。
【請求項４】
複数の光源を用いて１つの表示ランプを点灯させる表示ランプ装置の点灯方法であって、
前記複数の光源をそれぞれ異なるタイミングで点滅させ、
それぞれの点滅が連続するように前記複数の光源を交互に点灯させることによって、前記表示ランプを点灯状態とする表示ランプ装置の点灯方法。
【請求項５】
前記複数の光源は、前記複数の光源のそれぞれが単独で点灯する所定時間を有する請求項４に記載の表示ランプ装置の点灯方法。
【発明の詳細な説明】
【技術分野】
【０００１】
本発明は、表示ランプ装置、及び表示ランプの点灯方法に関する。
【背景技術】
【０００２】
エラー警告表示や重要な状態表示を行う表示ランプ装置は、ＣＰＵなどからの点灯指令に対して表示ランプが点灯することが重要である。表示ランプ装置では、断線によりランプが故障すると、表示ランプが点灯しなくなり、エラー警告表示や重要な状態表示を行うことができなくなる。従って、ランプ断線時には、表示ランプ装置のメンテナンスへと繋げるために、表示ランプが点灯しないことをユーザー対して明確に伝える必要がある。このため、表示ランプ装置には、ランプが断線により点灯しない状態であることを認識させるためのランプ断線検出手段が、上位システムとして搭載されている。
【０００３】
ランプ断線検出手段としては、ランプが断線により点灯しないことを検出し、警告を出す装置が、従来から多数提案されている。この種の装置では、基準電圧との比較を行う比較機能や電流検出器を用いてランプ断線を電気的に検出するランプ断線検出装置と、このランプ断線検出装置とは別に、検出されたランプ断線を知らせるための回路と、を持つものが一般的である（例えば、特許文献１、２）。
【先行技術文献】
【特許文献】
【０００４】
【特許文献１】特開平１−３１１９２７号公報
【特許文献２】特開平９−１２３８３２号公報
【発明の概要】
【発明が解決しようとする課題】
【０００５】
しかしながら、従来のランプ断線検出手段は、複雑な断線検出装置や断線を知らせるための回路を有しているため、これを搭載すると、表示ランプ装置のサイズ大、コストアップにつながってしまう。また、断線検知をＣＰＵなど上位システムで処理を行う場合は、断線検知入力と警告出力のためのＩ／Ｏ点数や回路が必要となる。さらには、それら断線検出手段の、信頼性の確保をするための手段を講じなければならない。
【０００６】
なお、単純にランプを２つ備え二重化する方法もあるが、二重化しただけでは片方のランプが切れた場合明るさが変わる程度で、ランプの断線故障に気づかない場合がある。
【０００７】
本発明は、上記のような問題点を解決するためになされたものであり、より簡便な構成でランプの故障を検知することができる表示ランプ装置、及び表示ランプの点灯方法を提供することを目的とする。
【課題を解決するための手段】
【０００８】
本発明の第１の態様にかかる表示ランプ装置は、表示ランプと、前記表示ランプを点灯させるための複数の光源と、を備え、前記複数の光源はそれぞれが異なるタイミングで点滅を行い、それぞれの点滅が連続するように前記複数の光源が交互に点灯することによって、前記表示ランプが点灯状態となるものである。これにより、表示ランプの点灯状態に基づいて、表示ランプのランプ（光源）が故障しているか否かを判別することができる。このため、より簡便な構成でランプの故障を検知することができる。
【０００９】
本発明の第２の態様にかかる表示ランプ装置は、上述の表示ランプ装置であって、前記複数の光源は、前記複数の光源のそれぞれが単独で点灯する所定時間を有するものである。これにより、確実にランプの故障を検知することができる。
【００１０】
本発明の第３の態様にかかる表示ランプ装置は、上述の表示ランプ装置であって、前記複数の光源のそれぞれの点灯を制御する制御部をさらに備えるものである。これにより、簡便な構成でランプの故障を検知することができる。
【００１１】
本発明の第４の態様にかかる表示ランプ装置の点灯方法は、複数の光源を用いて１つの表示ランプを点灯させる表示ランプ装置の点灯方法であって、前記複数の光源をそれぞれ異なるタイミングで点滅させ、それぞれの点滅が連続するように前記複数の光源を交互に点灯させることによって、前記表示ランプを点灯状態とするものである。このような方法により、表示ランプの点灯状態に基づいて、表示ランプのランプ（光源）が故障しているか否かを判別することができる。このため、より簡便な構成でランプの故障を検知することができる。
【００１２】
本発明の第５の態様にかかる表示ランプ装置の点灯方法は、上述の点灯方法であって、前記複数の光源は、前記複数の光源のそれぞれが単独で点灯する所定時間を有するものである。これにより、確実にランプの故障を検知することができる。
【発明の効果】
【００１３】
本発明によれば、より簡便な構成でランプの故障を検知することができる表示ランプ装置、及び表示ランプの点灯方法を提供することができる。
【図面の簡単な説明】
【００１４】
【図１】実施の形態１に係る表示ランプ装置の全体構成を模式的に示す図である。
【図２】実施の形態１に係る交互点滅回路の構成の一例を示す回路図である。
【図３】実施の形態１に係る表示ランプ装置の正常時におけるタイミングチャートである。
【図４】実施の形態１に係る表示ランプ装置のランプ故障時におけるタイミングチャートである。
【図５】実施の形態１の別の実施例に係る表示ランプ装置の全体構成を模式的に示す図である。
【図６】実施の形態１の別の実施例に係る表示ランプの構成を模式的に示す図である。
【図７】実施の形態１のさらに別の実施例に係る表示ランプ装置の全体構成を模式的に示す図である。
【図８】実施の形態２に係る表示ランプ装置の全体構成を模式的に示す図である。
【図９】実施の形態２に係る表示ランプ装置の正常時におけるタイミングチャートである。
【図１０】実施の形態３に係る表示ランプ装置の全体構成を模式的に示す図である。
【図１１】実施の形態３に係る表示ランプ装置のランプ故障時におけるタイミングチャートである。
【発明を実施するための形態】
【００１５】
以下、図面を参照して本発明の実施の形態について説明する。説明の明確化のため、以下の記載及び図面は、適宜、省略及び簡略化がなされている。また、説明の明確化のため、必要に応じて重複説明は省略されている。尚、各図において同一の符号を付されたものは同様の要素を示しており、適宜、説明が省略されている。
【００１６】
実施の形態１．
本実施の形態に係る表示ランプ装置の構成について、図１を用いて説明する。図１は、実施の形態１に係る表示ランプ装置の全体構成を模式的に示す図である。
【００１７】
図１において、本実施の形態に係る表示ランプ装置１００は、表示ランプとなる表示装置３と、この表示装置３を点灯させるための複数の光源Ｌとを備えている。表示装置３は、点灯／消灯することによって情報表示を行うことが可能な表示ランプである。光源Ｌとして、例えば、白熱電球、放電ランプ等の小型のランプを用いることができる。ここでは、表示装置３は、例えば透過性を有する筐体３ａと、この筐体３ａの内部に設けられた２つの光源Ｌ１、Ｌ２と、を備えて構成されている。
【００１８】
また、表示ランプ装置１００は、交互点滅回路４と、点灯指示回路５とをさらに備えている。交互点滅回路４は、光源Ｌと点灯指示回路５とに接続されている。交互点滅回路４は、入力側が点灯指示回路５と接続され、出力側が複数の光源Ｌのそれぞれと接続されている。ここでは、２つの光源Ｌ１、Ｌ２が交互点滅回路４に接続されている。
【００１９】
点灯指示回路５は、点灯指令信号を出力することによって、表示装置３の点灯（ＯＮ）／消灯（ＯＦＦ）を指示する。すなわち、点灯指示回路５は、表示装置３の点灯のＯＮ／ＯＦＦを制御する制御部として機能する。
【００２０】
交互点滅回路４は、入力された点灯指令信号に基づいて、複数の光源Ｌのそれぞれに点灯／消灯を指示する。すなわち、交互点滅回路４は、複数の光源Ｌの点灯のＯＮ／ＯＦＦを制御する制御部として機能する。本実施の形態では、交互点滅回路４は、点灯指令信号が入力されると、複数の光源Ｌのそれぞれを交互に点滅させるよう指示を行う。
【００２１】
図２は、実施の形態１に係る交互点滅回路４の構成の一例を示す回路図である。交互点滅回路４は、図２に示すように、例えば、発信回路４１とＮＯＴバッファ４２とバッファ４３とを備えて構成されている。発信回路４１は、入力側が点灯指示回路５と接続されている。発信回路４１は、点灯指示回路５から出力された点灯指令信号Ｓ５を、矩形波信号Ｓ４１に変換する。
【００２２】
そして、発信回路４１は、出力側がバッファ４３及びＮＯＴバッファ４２と接続されている。ＮＯＴバッファ４２は、入力された矩形波信号Ｓ４１を逆転し、逆転矩形波信号Ｓ４２を光源Ｌ２に出力する。発信回路４１から出力された矩形波信号Ｓ４１は２つに分岐され、バッファ４３とＮＯＴバッファ４２とに入力される。ここで、分岐された矩形波信号Ｓ４１の一方はバッファ４３を通りそのまま光源Ｌ１へと送られ、他方はＮＯＴバッファ４２で逆転矩形波信号Ｓ４２に変換された後、光源Ｌ２へと送られる。
【００２３】
なお、バッファ４３及びＮＯＴバッファ４２には、点灯指示回路５から出力された点灯指令信号Ｓ５が制御信号として入力されるよう構成されている。バッファ４３は、入力された点灯指令信号Ｓ５が「１（ＯＮ）」のときには光源Ｌ１に矩形波信号Ｓ４１を出力し、入力された点灯指令信号Ｓ５が「０（ＯＦＦ）」のときには光源Ｌ１に矩形波信号Ｓ４１を出力しない。同様に、ＮＯＴバッファ４２は、入力された点灯指令信号Ｓ５が「１」のときには光源Ｌ２に逆転矩形波信号Ｓ４２を出力し、入力された点灯指令信号Ｓ５が「０」のときには光源Ｌ２に逆転矩形波信号Ｓ４２を出力しない。
【００２４】
このように、交互点滅回路４は、入力された点灯指令信号Ｓ５に基づいて、光源Ｌ１に矩形波信号Ｓ４１、光源Ｌ２に逆転矩形波信号Ｓ４２を出力する。
【００２５】
次に、上記のように構成された表示ランプ装置１００の動作について、図３を用いて説明する。図３は、実施の形態１に係る表示ランプ装置１００の正常時におけるタイミングチャートである。
【００２６】
図３において、点灯指示回路５が点灯指令信号Ｓ５をＯＮにすると、光源Ｌ１、Ｌ２の交互点滅が開始する。具体的には、点灯指示回路５からの点灯指令信号Ｓ５がＯＮになると、交互点滅回路４は、光源Ｌ１と光源Ｌ２を交互に点滅させるよう、矩形波信号Ｓ４１と逆転矩形波信号Ｓ４２とを出力する。光源Ｌ１は、入力された矩形波信号Ｓ４１に基づき、点灯する。すなわち、光源Ｌ１は、図３のタイミングチャートに示すように、点滅を開始する。光源Ｌ２は、入力された逆転矩形波信号Ｓ４２に基づき、点灯する。すなわち、光源Ｌ２は、光源Ｌ１とは異なるタイミングで点滅を行う。
【００２７】
ここで、逆転矩形波信号Ｓ４２は、上述したように、矩形波信号Ｓ４１を反転させたものである。よって、点灯指令信号Ｓ５がＯＮのとき、光源Ｌ２は、光源Ｌ１が点灯している間には点灯せず、光源Ｌ１が点灯していない間に点灯する。また、光源Ｌ１の点灯時間と光源Ｌ２の点灯時間とが間を開けずに連続する。このため、点灯指令信号Ｓ５がＯＮのとき、表示装置３としては、光源Ｌ１、Ｌ２のどちらかが点灯していることになる。よって、ユーザーから見ると、点灯指示回路５から点灯指令がある間は、表示装置３が点灯表示されているように見える。すなわち、点灯指令信号Ｓ５のＯＮ信号が表示装置３の点灯状態として再現される。
【００２８】
このように、表示ランプ装置１００では、光源Ｌ１と光源Ｌ２が交互に点灯することによって、表示装置３が連続して点灯するようになっている。すなわち、それぞれの点滅が連続するように複数の光源Ｌが交互に点灯することによって、表示装置３が点灯状態となる。
【００２９】
一方、光源Ｌが断線などにより故障し、点灯しない状態である場合の表示ランプ装置１００の動作を図４に示す。図４は、実施の形態１に係る表示ランプ装置１００のランプ故障時におけるタイミングチャートである。
【００３０】
点灯指示回路５からの点灯指令信号Ｓ５がＯＮになると、交互点滅回路４は、光源Ｌ１と光源Ｌ２を交互に点滅させるよう、矩形波信号Ｓ４１と逆転矩形波信号Ｓ４２とを出力する。ここで、例えば、光源Ｌ２が故障している場合、図４に示すように、光源Ｌ１は入力された矩形波信号Ｓ４１に基づいて点滅を開始するが、光源Ｌ２は逆転矩形波信号Ｓ４２が入力されても点灯しない。このため、点灯指令信号Ｓ５がＯＮのとき、表示装置３としては、光源Ｌ２は消灯したままで光源Ｌ１のみが点滅していることになる。よって、ユーザーから見ると、点灯指示回路５から点灯指令がある間は、表示装置３が点滅表示されているように見える。すなわち、点灯指令信号Ｓ５のＯＮ信号が表示装置３の点滅状態として再現される。
【００３１】
逆に、光源Ｌ１が故障している場合、光源Ｌ２は入力された逆転矩形波信号Ｓ４２に基づいて点滅を開始するが、光源Ｌ１は矩形波信号Ｓ４１が入力されても点灯しない。このため、点灯指令信号Ｓ５がＯＮのとき、表示装置３としては、光源Ｌ１は消灯したままで光源Ｌ２のみが点滅していることになる。よって、ユーザーから見ると、点灯指示回路５から点灯指令がある間は、表示装置３が点滅表示されているように見える。すなわち、光源Ｌ２が故障している場合と同様、点灯指令信号Ｓ５のＯＮ信号が表示装置３の点滅状態として再現される。
【００３２】
このように、表示ランプ装置１００では、表示装置３が点滅表示となったときには、光源Ｌ１、Ｌ２のどちらかが故障した状態である。従って、光源Ｌが故障しているか否かを表示装置３の点灯状態によりユーザーが認識することができる。
【００３３】
以上のように、本実施の形態では、それぞれの点滅が連続するよう複数の光源Ｌを交互に点灯させることによって、表示ランプ装置１００の表示ランプ（表示装置３）が連続した点灯状態となるようにしている。これにより、ユーザーが、表示ランプの点灯状態に基づいて、表示ランプのランプ（光源Ｌ）が故障しているか否かを判別することが可能である。よって、従来のようにランプ故障を認知するための上位システムを用いる必要がない。すなわち、ランプ故障検出回路などは不要となり、さらに他の回路でランプ故障を認識したり、上位システムで認識するための更なる入出力信号を準備する必要がないうえに、ランプ断線故障を表示するための更なる回路も必要がない。その結果、信頼性の高い回路を安価に簡単に構成することができる。また、本実施の形態では、表示ランプの点灯状態が点滅か否かを識別するという手段で故障を認知させるため、ランプの明るさを識別しなければならない、ランプを二重化する従来の方法と比較すると、より有効にランプ故障を認識させることができる。このように、本実施の形態によれば、より簡便な構成でランプの故障を検知することができる表示ランプ装置、及び表示ランプの点灯方法を提供することができる。
【００３４】
なお、図１に示す表示ランプ装置１００の構成は、一例であって、例えば以下に説明するような構成であってもよい。
【００３５】
図５は、実施の形態１の別の実施例に係る表示ランプ装置１００の全体構成を模式的に示す図である。図１を参照した上記説明では、光源Ｌが白熱電球、放電ランプ等の小型のランプであるとして説明を行ったが、光源Ｌは、図５に示すようにＬＥＤ（Light Emitting Diode）であってもよい。このように、光源Ｌは、ランプ状のものに限るものではなく、それ以外の形状のあらゆる光源を適宜用いることができる。
【００３６】
図６は、実施の形態１の別の実施例に係る表示ランプの構成を模式的に示す図である。光源ＬとしてＬＥＤを用いた場合、例えば、図６に示すように、電球状の表示ランプ（表示装置３）に、複数の光源Ｌと交互点滅回路４とを一体化した構造とすることができる。このように、表示装置３は、図１のように複数の光源Ｌが箱状の筐体３ａ内に設けられているものに限らず、その形状等を適宜変更してよい。また、交互点滅回路４や点灯指示回路５は、表示装置３の内部に設けられていてもよい。
【００３７】
図７は、実施の形態１のさらに別の実施例に係る表示ランプ装置１００の全体構成を模式的に示す図である。光源ＬとしてＬＥＤを用いた場合、例えば、図７に示すように、表示装置３外に設けられた光源Ｌの光を、導光管８を用いて表示装置３内に導くことによって、表示装置３を点灯させてもよい。このように、複数の光源Ｌの配置位置は、表示装置３内に限らず、光源Ｌは表示装置３の外に配置してもよい。
【００３８】
実施の形態２．
本実施の形態に係る表示ランプ装置の構成について、図８を用いて説明する。図８は、実施の形態２に係る表示ランプ装置の全体構成を模式的に示す図である。
【００３９】
本実施の形態に係る表示ランプ装置２００は、図８に示すように、交互点滅回路４を備えていない構成であってもよい。そして、複数の光源Ｌが点灯指示回路５に直接接続されていてもよい。点灯指示回路５は、複数の光源Ｌのそれぞれに対して点灯指令信号を直接出力することによって、表示装置３の点灯／消灯を指示する。本実施の形態では、この点灯指示回路５が、複数の光源Ｌのそれぞれを交互に点滅させるよう、点灯指令信号を出力する。
【００４０】
ここでは、図８に示すように、点灯指示回路５は、光源Ｌ１に対して点灯指令信号Ｓ５１を出力し、光源Ｌ２に対して点灯指令信号Ｓ５２を出力する。すなわち、点灯指示回路５は、複数の光源Ｌの点灯のＯＮ／ＯＦＦを制御する制御部として機能するとともに、表示装置３の点灯のＯＮ／ＯＦＦを制御する制御部として機能する。このように、表示ランプ装置２００は、交互点滅回路４を用いず、点灯指示回路５から直接矩形波を出力することによって、表示装置３を点灯させるよう構成されていてもよい。それ以外の構成については実施の形態１と同様であるため、説明を省略する。
【００４１】
続いて、この表示ランプ装置２００の動作について、図９を用いて説明する。図９は、実施の形態２に係る表示ランプ装置２００の正常時におけるタイミングチャートである。
【００４２】
表示装置３を点灯させるときには、点灯指示回路５は、図９に示すように、光源Ｌ１と光源Ｌ２を交互に点滅させ、それぞれの点滅が連続するよう、矩形波状の点灯指令信号Ｓ５１、Ｓ５２を出力する。光源Ｌ１は、入力された点灯指令信号Ｓ５１に基づき、点灯する。すなわち、光源Ｌ１は、図９のタイミングチャートに示すように、点滅を開始する。光源Ｌ２は、入力された点灯指令信号Ｓ５２に基づき、点灯する。すなわち、光源Ｌ２は、光源Ｌ１とは異なるタイミングで点滅を行う。
【００４３】
これにより、実施の形態１と同様、光源Ｌ１、Ｌ２のどちらかが点灯していることになり、ユーザーから見ると、表示装置３が点灯表示されているように見える。従って、光源Ｌが故障した際には、表示装置３が点滅表示となり、表示装置３の点灯状態により光源Ｌが故障しているか否かを判別することができる。よって、実施の形態１と同様の効果を奏することができる。
【００４４】
実施の形態３．
本実施の形態に係る表示ランプ装置の構成について、図１０を用いて説明する。図１０は、実施の形態３に係る表示ランプ装置の全体構成を模式的に示す図である。
【００４５】
本実施の形態では、設けられる光源Ｌの個数が実施の形態１と異なっているのみで、それ以外の構成については実施の形態１と同様であるため説明を省略する。図１０において、本実施の形態に係る表示ランプ装置３００は、３つ以上の光源Ｌ１、Ｌ２、・・・Ｌｎを備えている。そして、これらの光源Ｌ１、Ｌ２、・・・Ｌｎが、それぞれ、交互点滅回路４と接続されている。交互点滅回路４は、点灯指示回路５から入力される点灯指令信号Ｓ５に基づいて、これら複数の光源Ｌ１、Ｌ２、・・・Ｌｎのそれぞれを交互に点滅させるよう指示を行う。そして、それぞれの点滅が連続するように点灯させる。このように、１つの表示ランプを点灯させるために用いる複数の光源Ｌの個数は、２つに限らず、３つ以上であってもよい。
【００４６】
複数の光源Ｌ１、Ｌ２・・・Ｌｎは、点灯指示回路５から点灯指令がある間、所定のＯＮ時間ｔｏｎずつ順次点灯し、これを繰り返すことによって表示装置３を点灯状態とさせてもよいが、表示装置３を点灯状態にさせるための複数の光源Ｌの点滅の仕方はこれに限るものではない。すなわち、複数の光源Ｌのそれぞれが交互に点滅を行う方法は、いずれかの光源Ｌの故障時に表示装置３の点滅がユーザーの目視で確認できる範囲で適宜変更してもよい。
【００４７】
図１１は、実施の形態３に係る表示ランプ装置３００のランプ故障時におけるタイミングチャートである。複数の光源Ｌは、それぞれが単独で点灯する所定時間を有していれば、例えば図１１に示すように、ＯＮ時間ｔｏｎが他の光源ＬのＯＮ時間ｔｏｎと一部オーバーラップするように、ＯＮ時間ｔｏｎを変更してもよい。また、例えば図１１に示すように、複数の光源Ｌを、同じ間隔で同じ長さのＯＮ時間ｔｏｎで点滅させて、それぞれが単独で点灯する所定時間を備えるように、所定のシフト時間ｔｓｈずつずらして点滅させてもよい。その他にも、複数の光源Ｌのそれぞれが交互に点滅を行う方法は、いずれかの光源Ｌの故障時に表示装置３の点滅がユーザーの目視で確認できる範囲で、任意に設定することができる。
【００４８】
このようにして、それぞれの点滅が連続するよう複数の光源Ｌのそれぞれを交互に点滅させると、複数の光源Ｌの少なくともいずれかが点灯していることになり、ユーザーから見ると、実施の形態１と同様、表示装置３が点灯表示されているように見える。従って、光源Ｌが故障した際には、図１１に示すように表示装置３が点滅表示となり、表示装置３の点灯状態により光源Ｌが故障しているか否かを判別することができる。よって、実施の形態１と同様の効果を奏することができる。
【００４９】
なお、本発明は上記実施の形態に限られたものではなく、趣旨を逸脱しない範囲で適宜変更することが可能である。例えば、表示ランプ装置１００、２００、３００は、エラー警告表示や重要な状態表示を行うものとして説明を行ったが、それ以外の用途として用いられる表示ランプであってもよい。ただし、点灯指令に対して表示ランプが点灯することが重要な表示ランプ装置は、ランプが故障すると表示ランプが点灯しなくなり、エラー警告表示や重要な状態表示などを行うことができなくなるため、本発明は、このような用途の表示ランプ装置に適用するのに好適である。
【符号の説明】
【００５０】
３  表示装置、３ａ  筐体、
４  交互点滅回路、５  点灯指示回路、
８  導光管、４１  発信回路、
４２  ＮＯＴバッファ、４３  バッファ、
１００、２００、３００  表示ランプ装置、
Ｌ、Ｌ１、Ｌ２、Ｌｎ、  光源、
Ｓ４１  矩形波信号、
Ｓ４２  逆転矩形波信号、
Ｓ５、Ｓ５１、Ｓ５２  点灯指令信号
【図１】
2011096447.tif 000003
【図２】
2011096447.tif 000004
【図３】
2011096447.tif 000005
【図４】
2011096447.tif 000006
【図５】
2011096447.tif 000007
【図６】
2011096447.tif 000008
【図７】
2011096447.tif 000009
【図８】
2011096447.tif 000010
【図９】
2011096447.tif 000011
【図１０】
2011096447.tif 000012
【図１１】
2011096447.tif 000013